(57)【要約】【課題】封入した無線認識ＩＣタグが容易に取り出せない無線認識ＩＣタグ封入ストローを提供する。【解決手段】試料管理用ストロー１１の内の液体によって凝固するパウダー１４の中に、無線認識ＩＣタグ１３を配置する。この無線認識ＩＣタグ１３とパウダー１４とは、固定材である綿糸１２、１５によってストロー１１内に固定されている。ストロー１１内に試料液体を吸い込むと、パウダー１４と無線認識ＩＣタグ１３がストロー１１内に固着される。この時、無線認識ＩＣタグ１３と液体により凝固するパウダー１４とストロー１１内壁が強固に接着するため、容易に無線認識ＩＣタグ１３が取り出せないストロー構造を得ることができ、セキュリティ性を向上できる。【選択図】図１
2008079889.tif 000002
【特許請求の範囲】
【請求項１】
液状試料を管理する無線認識ＩＣタグ封入ストローであって、
前記ストローの内部に配置された凝固用パウダーと、
前記凝固用パウダーの中に配置された無線認識ＩＣタグと、
前記ストローの内部で、前記凝固用パウダーと前記無線認識ＩＣタグを挟む位置に配置された吸水性、通気性のある固定材とからなる
無線認識ＩＣタグ封入ストロー。
【請求項２】
請求項１記載の無線認識ＩＣタグ封入ストローであって、
前記無線認識ＩＣタグは、湾曲又は筒状にされて前記ストロー内に挿入されている
無線認識ＩＣタグ封入ストロー。
【請求項３】
請求項１記載の無線認識ＩＣタグ封入ストローであって、
前記無線認識ＩＣタグは、ＩＣタグチップと前記ＩＣタグチップに接続されたアンテナとからなり、前記アンテナには少なくとも一個のフィンが形成されており、前記フィンと前記アンテナとは零度より大きな角度をなしている
無線認識ＩＣタグ封入ストロー。
【請求項４】
請求項１記載の無線認識ＩＣタグ封入ストローであって、
前記固定材は綿糸である
無線認識ＩＣタグ封入ストロー。
【請求項５】
液状試料を管理する無線認識ＩＣタグ封入試料容器であって、
ストローと、
前記ストローの内部に配置された凝固用パウダーと、
前記凝固用パウダーの中に配置された無線認識ＩＣタグと、
前記凝固用パウダーと前記無線認識ＩＣタグを、前記ストローの長手方向の両側から挟む位置に配置された吸水性ある固定材とからなる
無線認識ＩＣタグ封入試料容器。
【請求項６】
請求項５記載の無線認識ＩＣタグ封入試料容器であって、
前記固定材は綿糸である
無線認識ＩＣタグ封入試料容器。
【請求項７】
請求項５記載の無線認識ＩＣタグ封入試料容器であって、
前記凝固用パウダーは、前記液状試料が注入される際、その凝固により前記無線認識ＩＣタグを固着する
無線認識ＩＣタグ封入試料容器。
【発明の詳細な説明】
【技術分野】
【０００１】
本発明は無線により認識を行う無線認識ＩＣタグを用いたストロー技術に関する。
【背景技術】
【０００２】
バイオ関係や、高価な牛の人工授精などでは細いストローを試料容器とし、保管および流通媒体として使用している。この試料管理用ストローには、中に入れた試料の固有番号を管理するための数値またはバーコードが印刷されていて、目視認識やコンピュータ認識などに利用されている。
【０００３】
一方、偽造、変造困難性などのセキュリティの観点から、無線認識ＩＣタグは従来のバーコードよりすぐれた機能をもっている。こうした流れを踏まえ、試料管理用ストローの中に、試料識別番号を記録したＩＣタグを内蔵したものもある(特許文献１)。この従来技術においては、精液をストロー中に封入した後、ＩＣチップをストローの端部に挿入する。
【０００４】
【特許文献１】特開平１０−７５９６８号公報
【発明の開示】
【発明が解決しようとする課題】
【０００５】
従来の構成では、あらかじめ挿入しようとする試料に対応するＩＣチップの識別番号を印字の上、試料を挿入後に当該ＩＣチップをストロー中に挿入するため、工程の最終段階でＩＣチップをストロー端部に挿入していると考えられる。しかし、この方法では、ストローの先端部にＩＣタグが挿入されるので、離脱によるＩＣチップの情報漏洩への配慮が十分と言えない。
【０００６】
本発明の課題は、ＩＣチップの情報漏洩を防止できる無線認識ＩＣタグ封入ストローを提供することにある。
【課題を解決するための手段】
【０００７】
上記課題を解決するため、本発明においては、液状試料を管理する無線認識ＩＣタグ封入ストローであって、ストロー内部に配置された凝固用パウダーと、この凝固用パウダーの中に配置された無線認識ＩＣタグと、ストローの内部で、凝固用パウダーとその中に配置された無線認識ＩＣタグとを固定するため、これら両者を挟んだ位置に配置した吸水性、通気性のある固定材とからなる無線認識ＩＣタグ封入ストローを提供する。
【発明の効果】
【０００８】
本発明のストロー構造により、液体試料挿入後、液体により凝固するパウダーと無線認識ＩＣタグとストロー内壁が強固に接着するため、容易に無線認識ＩＣタグが取り出せない構造を得ることができる。その結果、無線認識ＩＣタグの流用等を防ぐことができるストローとして、セキュリティ性を増すことができる。
【発明を実施するための最良の形態】
【０００９】
以下、本発明の具体的実施例を図面を用いて説明する。
【実施例１】
【００１０】
まず、図４は第一の実施例に用いる無線認識ＩＣタグの回路構成を示している。同図において、図示されていないリーダから送出された電波エネルギーはアンテナ４１から入力される。入力されたこの電波エネルギからクロック回路４２によって、クロックが抽出され、制御カウンタ４３に入力される。さらに、Ｘアドレスカウンタ４４aとＹアドレスカウンタ４４bが直列に接続されていて、それぞれ、Ｘアドレスデコーダ４５ａとＹアドレスデコーダ４５ｂに接続されており、読み出すメモリセル４９のアドレスを指定する。Ｘアドレスカウンタ４４aとＹアドレスカウンタ４４bは制御カウンタ４３からのクロック信号に従って、逐次カウントアップ若しくはカウントダウンしてメモリアドレスを指定する。Ｘアドレスデコーダ４５ａとＹアドレスデコーダ４５ｂはメモリセル４９を１個指定するためにメモリのワードラインとビットラインを選択するためのものである。
【００１１】
制御カウンタ４３からの出力はメモリ制御回路４８にも入力されて、メモリセル４９の駆動と読み出しを制御する。メモリセル４９に格納されている識別番号データの出力は、メモリ制御回路４８経由でインピーダンス制御回路４６に入力され、アンテナ４１を介して１ビットずつ出力される。この一連の動作を通じてＩＣタグの識別番号が読み取られる。全体の回路の電源電圧は電源回路４７によって生成される。
【００１２】
図５は第一の実施例の無線認識ＩＣタグのアンテナとチップの関係を示す平面図である。図５の（Ａ）は片面電極チップを小型アンテナに接続したものである。通常、人工授精に用いられるストロー(ストロー管)は合成樹脂材などで形成され、その内径は１．６３ｍｍから２．５３ｍｍ位のものであるので、このストローに入れるためにはチップサイズは０．５ｍｍ角以下、アンテナは３ｍｍｘ４ｍｍ以下が望ましい。アンテナパターン５２は基板シート５１の上にある。片面電極５３aと片面電極５３bは片面電極チップ５４の片面にあって、アンテナパターン５２と接続されている。片面電極チップ５４では、チップの主面側に２個の電極が隣り合わせて存在する。裏面側には電極は存在しない。片面電極５３a、５３bは図４のアンテナ端子、グランド端子となっている。
【００１３】
図５の（Ｂ）は両面電極チップを小型アンテナに接続したものである。上述の通りストローに入れるためにはチップサイズは、０．５ｍｍ角以下、アンテナは３ｍｍｘ４ｍｍ以下が望ましい。基板シート５５の上にある下部アンテナパターンシート５６aと上部アンテナパターンシート５６ｂの間に両面電極チップ５７がある。両面電極チップ５７はその両面に形成される両面電極対５８により、アンテナ５６a，５６ｂと接続されている。両面電極チップ５７では、チップの主面側と裏面側に１個づつの電極が存在し、それぞれの電極は図４のアンテナ端子、グランド端子となっている。下部アンテナパターンシート５６aと上部アンテナパターンシート５６ｂはコンタクト５９によって接続されている。このようなサイズのチップおよびアンテナであれば、後で説明するように、湾曲することによって、ストロー内部の凝固用パウダーと混在して入れ込むことが可能となる。
【００１４】
次に、図１は、第一の実施例における無線認識ＩＣタグ封入ストローの一例を示す図である。ストロー１１の内部の一部には、上側の綿糸（綿栓）１２と下側の綿糸（綿栓）１５によって挟まれた無線認識ＩＣタグ１３と凝固用パウダー１４がある。ここで凝固用パウダー１４は、例えばポリビニールアルコールであって、ストロー使用時に注入される液状試料との反応によって固化するものであれば他の材料でも採用可能である。綿糸はストロー内のパウダーがこぼれないように両サイドから固定するために挿入される固定材である。この固定材としては、綿糸に限らず、吸水性があって通気性のよいものを採用することができる。
【００１５】
本実施例のストロー構造によれば、予めＩＣチップと凝固用パウダーとを一の工程においてストロー内に挿入できるため、精液封入後にＩＣタグを入れる従来の精液封入装置と比較し、その構成を簡易にし、且つ試料封入工程を容易化することが可能である。
【００１６】
図１に示した第一の実施例の構造のストローを用いた液状試料封入工程においては、綿糸および凝固用パウダーの存在のために、ストロー１１の上からの負圧力により、ストロー１１の下の開口から液状試料を吸入する。この液状試料は下側の綿糸１５に至り、さらに凝固用パウダー１４に至る。この凝固用パウダー１４の中には無線認識ＩＣタグ１３が入っているため、液状試料は凝固用パウダー１４を化学反応させて、凝固すると同時に、無線認識ＩＣタグ１３を凝固用パウダー１４内に固着させる。さらにストロー１１内の壁面との接着が行われ、結果的に容易にストロー１１と無線認識ＩＣタグ１４が分離できない形態が形成される。
【００１７】
先に述べたように、無線認識ＩＣタグの大きさはストロー内に入るサイズであることが好ましいが、たとえ無線認識ＩＣタグのチップサイズがストローの径以上の大きさを有する場合であっても、この無線認識ＩＣタグを湾曲したり、筒状にしたりして、ストローの内径に即したサイズにすることは特段の技術を使用せずとも可能である。尚、パウダーが固化しても、電磁波の伝達に影響はなく、無線認識ＩＣタグのチップおよびアンテナの電気的動作が変化することはない。
【００１８】
以上詳述した第一の実施例のストローの使用にあたっては、各無線ＩＣタグ内の固有番号と試料とを対応づけて管理しておく。例えば人口受精の際には、ストローをリーダに近づけて無線ＩＣタグの固有番号を読み取ることで、試料を特定することが可能となる。又、固着されてしまった無線ＩＣタグはストローを破壊しなければ取得することが困難である。よって、本構成によれば、無線ＩＣタグの固有番号を解析して他の試料を挿入したストローに模造無線ＩＣタグを挿入するといういった模倣行為に対する対策が可能となる。
【００１９】
図２は図１に示した第一の実施例の無線認識ＩＣタグ封入ストローの製造工程の一実施例を示す図面である。図２の（Ａ）は、最初のストロー１１の状態を示している。図２の（Ｂ）は、図２の（Ａ）に示したストロー１１に、下側の綿糸１５を入れた状態の図を示している。図２の（Ｃ）は、図２の（Ｂ）に続く工程で、ストロー１１の中に無線認識ＩＣタグ１３と凝固用パウダー１４が同時に封入されている状態を示している。図２の（Ｄ）の図面は、図２の（Ｃ）に続く工程で、上側の綿糸１２をストローに入れた状態を示している。ストローに綿糸および凝固用パウダーを配置する構造はすでに既存技術として利用されているが、本実施例においては、無線認識ＩＣタグ１３の配置場所を凝固用パウダー１４の設置場所とすることにより、ストロー１１への封入容易性を図った。すなわち、無線認識ＩＣタグ１３はアンテナ部を小型化すると同時に、パウダー１４の中に入れるために、形状はストロー１１に入るように変形するのみ、具体的には湾曲または筒状にするのみでよい。そのため、厳密な形状規定を必要としない。また、液状の試料により、パウダーが化学反応してストロー内に固定され、セキュリティ管理上、流用されにくい特性をもたせることができる。
【実施例２】
【００２０】
図３は第二の実施例の無線認識ＩＣタグの断面構造を示す図である。同図は、ストローの中の凝固用パウダー１４の中の無線認識ＩＣタグ３０の断面構造を示しているが、特にストローの向きと無線認識ＩＣタグ３０の向きに制限はない。無線認識ＩＣタグ３０のＩＣタグチップ３３の上側のアンテナ３１には上側フィン３２が取り付けられていて、またＩＣタグチップ３３の下側のアンテナ３４には下側フィン３５が取り付けられている。なお、この上側フィン３２、下側フィン３５の取り付け個数は、図示のように二個に限らず、一個以上何個であっても良いし、上下片側のみに取り付けても良い。
【００２１】
ＩＣタグチップ３３の上側と下側にはメタル層があってチップ内の回路との導通を行い、このメタル層を介してそれぞれ上側のアンテナ３１と下側のアンテナ３４に接続されている。無線認識ＩＣタグ３０はストローの中に、凝固用パウダー１４により、封入されている。
【００２２】
このとき、フィン３２、３５がアンテナ３１、３４に取り付けられていることによって、凝固用パウダー１４との一体化が促進される。これにより、ストローの中の無線認識ＩＣタグ３０を取り出して、他のサンプル作成に流用しようとしても、アンテナ３１、３４とパウダーが凝固した凝固剤が固着しているために、アンテナとＩＣタグチップの分離が成され易くなる。このことによって、容易に無線認識ＩＣタグ３０の機能性を失うことが可能となる。
【００２３】
すなわち、本実施例の構造によれば、無線認識ＩＣタグのアンテナにあるフィンによって、試料液体により凝固するパウダーと無線認識ＩＣタグをより強固に一体化できるので、分解による摘出をしようとする場合、アンテナとチップが分離して無機能化し、無線認識ＩＣタグの脆性を増すことができることとなる。
【００２４】
なお、このフィン３２、３５は、例えば、アルミなどのアンテナ材料と同じ材料とする。又、アンテナ材料の一部を切り取り、主アンテナ面から０度より大きく、１８０度より小さな角度を形成するように曲げることで形成することができる。更に、フィンを別途生成してアンテナに接着することで形成することも可能である。
【図面の簡単な説明】
【００２５】
【図１】第一の実施例の無線認識ＩＣタグ封入のストローを示す図。
【図２】第一の実施例の無線認識ＩＣタグ用リーダの製造工程を示す図。
【図３】第二の実施例の無線認識ＩＣタグの断面構造を示す図。
【図４】本発明の無線認識ＩＣタグの回路構成の一実施例を示す図。
【図５】本発明の無線認識ＩＣタグのアンテナとチップの関係の一実施例を示す平面図。
【符号の説明】
【００２６】
１１…ストロー、１２…上側の綿糸、１３…無線認識ＩＣタグ、１４…凝固用パウダー、１５…下側の綿糸、３０…無線認識ＩＣタグ、３１…上側のアンテナ、３２…上側のフィン、３３…ＩＣタグチップ、３４…下側のアンテナ、３５…下側のフィン、４１…アンテナ、４２…クロック回路、４３…制御カウンタ、４４a…Ｘアドレスカウンタ、４４ｂ…Ｙアドレスカウンタ, ４５ａ…Ｘアドレスデコーダ、４５ｂ…Ｙアドレスデコーダ、４６…インピーダンス制御回路、４７…電源回路、４８…メモリ制御回路、４９…メモリセル、５１…基板シート、５２…アンテナパターン、５３a、５３ｂ…片面電極、５４…片面電極チップ、５５…基板シート、５６a…下部アンテナパターンシート、５６b…上部アンテナパターンシート、５７…両面電極チップ、５８…両面電極、５９…コンタクト。
【図１】
2008079889.tif 000003
【図２】
2008079889.tif 000004
【図３】
2008079889.tif 000005
【図４】
2008079889.tif 000006
【図５】
2008079889.tif 000007